(57)【要約】【課題】マウント部材で反射する反射光の影響を低減できるレンズ鏡筒及び電子機器を提供する。【解決手段】レンズ鏡筒２は、撮像装置１０のバヨネットマウントと結合を行うバヨネットマウント１と、バヨネットマウント１に設けられ、光軸Ｉと交差する方向に延びた突起部１ｄと、突起部１ｄの入射光線の射出方向の側面であるマウント端面１ａに設けられ、バヨネットマウント１で反射する反射光の進行方向を調整する反射方向調整部Ａとを備え、反射方向調整部Ａは、テーパー形状Ｔを有し、そのテーパー形状Ｔによって、レンズ鏡筒２の中心から離れる方向に反射光を反射させる。【選択図】図１
2007219412.tif 000002
【特許請求の範囲】
【請求項１】
マウント部材と、
前記マウント部材に設けられ、前記マウント部材で反射する反射光の進行方向を調整する反射方向調整部と、
を備えるレンズ鏡筒。
【請求項２】
請求項１に記載されたレンズ鏡筒であって、
前記マウント部材は、光軸と交差する方向に延びた突起部を備え、
前記突起部は、入射光線の射出方向の側面に前記反射方向調整部を備える
レンズ鏡筒。
【請求項３】
請求項１又は請求項２に記載されたレンズ鏡筒であって、
前記反射方向調整部は、前記レンズ鏡筒の中心から離れる方向に前記反射光を反射させる
レンズ鏡筒。
【請求項４】
請求項１から請求項３までの何れか１項に記載されたレンズ鏡筒であって、
前記反射方向調整部は、テーパー部を有する
レンズ鏡筒。
【請求項５】
請求項１から請求項４までの何れか１項に記載されたレンズ鏡筒であって、
前記反射方向調整部から光軸に平行に延びる平行部を含み、
前記平行部は、前記反射方向調整部で反射された前記反射光をさらに反射させる
レンズ鏡筒。
【請求項６】
請求項１から請求項５までの何れか１項に記載されたレンズ鏡筒であって、
前記反射方向調整部は、前記マウント部材の壁面に沿って備えられた切欠きである
レンズ鏡筒。
【請求項７】
請求項１から請求項６までの何れか１項に記載されたレンズ鏡筒であって、
前記反射方向調整部は、前記反射光を減衰させる減光部を含む
レンズ鏡筒。
【請求項８】
請求項１から請求項７までの何れか１項に記載されたレンズ鏡筒を用いた電子機器。
【請求項９】
請求項８に記載された電子機器であって、スチルカメラ、又は、ビデオカメラである電子機器。
【請求項１０】
請求項９に記載された電子機器であって、
前記レンズ鏡筒を取付け可能なカメラ本体を含み、
前記カメラ本体は、前記反射方向調整部と対向する面に撮像面を備える
電子機器。
【発明の詳細な説明】
【技術分野】
【０００１】
本発明は、レンズ鏡筒及び電子機器に関するものである。
【背景技術】
【０００２】
特許文献１では、有害光カット絞りをイメージサークルの大きさに応じて付け替える提案がなされているが、バヨネットマウントで反射する反射光の影響を低減させることはできなかった。
【特許文献１】特開２０００−１２１９０４号公報
【発明の開示】
【発明が解決しようとする課題】
【０００３】
本発明の課題は、マウント部材で反射する反射光の影響を低減できるレンズ鏡筒及び電子機器を提供することである。
【課題を解決するための手段】
【０００４】
本発明は、以下のような解決手段により前記課題を解決する。なお、理解を容易にするために、本発明の一実施例を示す図面に対応する符号を付して説明するが、これに限定されるものではない。
請求項１の発明は、マウント部材（１，１−２，１−３，１−４，１−５Ａ，１−５Ｂ，１−５Ｃ）と、前記マウント部材（１，１−２，１−３，１−４，１−５Ａ，１−５Ｂ，１−５Ｃ）に設けられ、前記マウント部材（１，１−２，１−３，１−４，１−５Ａ，１−５Ｂ，１−５Ｃ）で反射する反射光の進行方向を調整する反射方向調整部（Ａ，Ａ−３，Ａ−４）と、を備えるレンズ鏡筒（２，２−２，２−３，２−４，２−５）である。
請求項２の発明は、請求項１に記載されたレンズ鏡筒（２，２−２，２−３，２−４，２−５）であって、前記マウント部材（１，１−２，１−３，１−４，１−５Ａ，１−５Ｂ，１−５Ｃ）は、光軸（Ｉ）と交差する方向に延びた突起部（１ｄ）を備え、前記突起部（１ｄ）は、入射光線の射出方向の側面（１ａ）に前記反射方向調整部（Ａ，Ａ−３，Ａ−４）を備えるレンズ鏡筒（２，２−２，２−３，２−４，２−５）である。
請求項３の発明は、請求項１又は請求項２に記載されたレンズ鏡筒（２，２−２，２−３，２−４，２−５）であって、前記反射方向調整部（Ａ，Ａ−３，Ａ−４）は、前記レンズ鏡筒（２，２−２，２−３，２−４，２−５）の中心から離れる方向に前記反射光を反射させるレンズ鏡筒（２，２−２，２−３，２−４，２−５）である。
請求項４の発明は、請求項１から請求項３までの何れか１項に記載されたレンズ鏡筒（２，２−２，２−３，２−４，２−５）であって、前記反射方向調整部（Ａ，Ａ−３，Ａ−４）は、テーパー部（Ｔ）を有するレンズ鏡筒（２，２−２，２−３，２−４，２−５）である。
請求項５の発明は、請求項１から請求項４までの何れか１項に記載されたレンズ鏡筒（２−３，２−４）であって、前記反射方向調整部（Ａ−３，Ａ−４）から光軸（Ｉ）に平行に延びる平行部（１ｅ）を含み、前記平行部（１ｅ）は、前記反射方向調整部（Ａ−３，Ａ−４）で反射された前記反射光をさらに反射させるレンズ鏡筒（２−３，２−４）である。
請求項６の発明は、請求項１から請求項５までの何れか１項に記載されたレンズ鏡筒（２−３，２−４）であって、前記反射方向調整部（Ａ−３，Ａ−４）は、前記マウント部材（１−３，１−４）の壁面（１ａ）に沿って備えられた切欠き（Ｃ−３，Ｃ−４）であるレンズ鏡筒（２−３，２−４）である。
請求項７の発明は、請求項１から請求項６までの何れか１項に記載されたレンズ鏡筒（２−５）であって、前記反射方向調整部（Ａ，Ａ−３，Ａ−４）は、前記反射光を減衰させる減光部（Ｇ）を含むレンズ鏡筒（２−５）である。
請求項８の発明は、請求項１から請求項７までの何れか１項に記載されたレンズ鏡筒（２）を用いた電子機器（１０）である。
請求項９の発明は、請求項８に記載された電子機器（１０）であって、スチルカメラ、又は、ビデオカメラである電子機器（１０）である。
請求項１０の発明は、請求項９に記載された電子機器（１０）であって、前記レンズ鏡筒（２）を取付け可能なカメラ本体（１０ａ）を含み、前記カメラ本体（１０ａ）は、前記反射方向調整部（Ａ）と対向する面に撮像面（１１ａ）を備える電子機器（１０）である。
なお、符号を付して説明した構成は適宜改良してもよく、また、少なくとも一部を他の構成物に代替してもよい。
【発明の効果】
【０００５】
本発明によれば、マウント部材で反射する反射光の影響を低減できるレンズ鏡筒及びこれを用いた電子機器を提供することができる。
【発明を実施するための最良の形態】
【０００６】
以下、図面等を参照して、本発明の実施例をあげて、さらに詳しく説明する。なお、本発明の電子機器は、例えば、スチルカメラ、ビデオカメラ、光学性能を調整するための光軸合わせ装置、光線投射装置等とすることができるが、以下の実施例では、レンズ鏡筒を例にとって説明する。
【実施例１】
【０００７】
図１は、実施例１のレンズ鏡筒を示す図である。
撮像装置１０は、例えば、スチルカメラ、ビデオカメラ等の撮像装置であり、レンズ鏡筒２と、レンズ鏡筒２を取付け可能なカメラ本体１０ａとを含む。カメラ本体１０ａは、後述する反射方向調整部Ａと対向する面に、撮像面１１ａを有する撮像部１１を備える。撮像部１１は、例えば、ローパスフィルターと撮像素子とを備える撮像ユニットやフィルム等である。なお、レンズ鏡筒を用いた撮像装置とする場合には、上述したような構成とすることが好ましい。
実施例１のレンズ鏡筒２は、バヨネットマウント１を備える。バヨネットマウント１は、レンズ鏡筒２の端面に固定され、撮像装置１０のバヨネットマウントとバヨネット方式で結合を行う部材である。バヨネットマウント１の材質は、例えば、金属、プラスチック、これらを混合したハイブリッド材料等である。なお、バヨネットマウント１は、螺子式で結合を行うスクリューマウントであってもよい。
バヨネットマウント１は、光軸Ｉと交差する方向に延びた突起部１ｄを備え、突起部１ｄは、入射光線の射出方向の側面であるマウント端面１ａに、バヨネットマウント１で反射する反射光の進行方向を調整する反射方向調整部Ａを備える。突起部１ｄは、光軸Ｉと交差する方向に延びた部材であれば、その形状や厚みは任意でよい。
反射方向調整部Ａは、テーパー形状Ｔを有し、そのテーパー形状Ｔによって、レンズ鏡筒２の中心から離れる方向に反射光を反射させる。
【０００８】
図２は、バヨネットマウント１の拡大図である。
テーパー形状Ｔは、バヨネットマウント１の外径側の端部１ｃが、内径側の端部１ｂよりも物体側（被写体側）に近い位置に配置されるような斜面によって形成されている。
テーパー形状Ｔの傾斜角度θは、任意に設定可能である。傾斜角度θは、レンズ鏡筒２の中心から離れる方向に反射光を反射させるために、大きく設定したほうが好ましい。
傾斜角度θは、例えば、以下のように設定することができる。ここで、テーパー形状Ｔの光軸方向の長さをｘ１とし、外径側のエッジ部分の長さをｘ２とし、テーパー形状Ｔの光軸方向の長さｘ１と外径側のエッジ部分の長さｘ２とを加えた長さをｘ３とする。また、テーパー形状Ｔの径方向の長さをｙ１とし、撮像装置１０側の端部の厚み部分の長さをｙ２とし、内径側のエッジ部分から外径側のエッジ部分までの長さをｙ３とする。
バヨネットマウント１は、例えば、ｘ１：ｘ２：ｘ３：ｙ１：ｙ２：ｙ３＝０．８：０．５：１．３：２．３：０．１：２．４とすることができる。
また、撮像装置１０側の端部の厚み部分の長さｙ２を大きくすれば、傾斜角度θを大きくすることができ、外径側のエッジ部分の長さｘ２を大きくすれば、傾斜角度θを小さくすることができる。
【０００９】
図３は、レンズ鏡筒２を撮像装置１０側からみた図である。
バヨネットマウント１の外径側の端部１ｃと内径側の端部１ｂとの間には、テーパー形状Ｔと撮像装置１０側の端部の厚み部分Ｂとが配置されている。なお、テーパー形状Ｔは、図中の斜線で示すように、バヨネットマウント１の３箇所の爪部分だけでなく、各爪部分を連結する部分に設けてもよい。
【００１０】
本実施例のレンズ鏡筒２では、図１に示すように、物体側から入射してきた軸外光束３は、撮像部１１のローパスフィルター面や撮像素子面等で反射して第１回反射光３ａとなり、さらにマウント端面１ａで反射して第２回反射光３ｂとなる。
この第２回反射光３ｂが、撮像部１１に戻ってくれば、ゴーストが発生してしまうが、第２回反射光３ｂは、マウント端面１ａに設けられた反射方向調整部Ａのテーパー形状Ｔによって、レンズ鏡筒２の中心から離れる方向に反射し、撮像部１１へは戻ってこない。
【００１１】
したがって、本実施例のレンズ鏡筒２によれば、バヨネットマウント１で反射する反射光の影響を低減でき、ゴーストの発生を防止することができる。
また、バヨネットマウント１は、テーパー形状Ｔを備えるので、バヨネットマウント１の外径側の面取りが不要となり、製造工数を減少させることができる。
さらに、レンズ鏡筒２が、超望遠用のレンズ鏡筒や、あおり機構を有するレンズ鏡筒である場合には、バヨネットマウント１の極近傍を光が通過するので、反射光の影響を低減させやすい。
【００１２】
図４は、レンズ鏡筒の比較例を示す図であり、図５は、バヨネットマウントのマウント端面を拡大して示した模式図である。なお、本実施例と同様な機能を果たす部分は、重複する説明を適宜省略する（以下の実施例でも同様）。
比較例のレンズ鏡筒１０２は、実施例１のような反射方向調整部Ａを備えていない。
このため、製造条件等によってマウント端面１０１ａが多少傾斜しているような場合や、使用中にマウント端面１０１ａにキズが付いてしまった場合等には、第２回反射光１０３ｃ，１０３ｄといったような、撮像部１１１に戻ってくる光束があり、ゴーストが発生してしまう。
また、図５に示すように、マウント端面１０１ａの面粗さが粗い場合にも、ゴーストは発生する。第１回反射光１０４は、通常の反射経路では、第２回反射光１０４ａとなるが、第１回反射光１０５は、マウント端面１０１ａの面粗さによって通常の反射経路とは異なる第２回反射光１０５ａとなる。そして、この第２回反射光１０５ａが撮像部１１１に戻ってくることによって、ゴーストが発生してしまう。
これに対して、本実施例のレンズ鏡筒２は、反射方向調整部Ａを備えているので、このような問題を解決することができる。
【実施例２】
【００１３】
図６は、実施例２のレンズ鏡筒を示す図であって、バヨネットマウントのマウント端面を拡大して示した模式図である。
実施例２のレンズ鏡筒２−２は、実施例１のバヨネットマウント１よりも、面粗さが粗いバヨネットマウント１−２を備える。
このように、面粗さが粗いバヨネットマウント１−２であっても、本実施例のバヨネットマウント１−２は、テーパー形状Ｔを有するので、第１回反射光４，５は、第２回反射光４ａ，５ａのように、レンズ鏡筒２−２の中心から離れる方向に反射し、撮像部１１には戻ってこない。したがって、バヨネットマウント１−２で反射する反射光の影響を低減でき、ゴーストの発生を防止することができる。
【実施例３】
【００１４】
図７は、実施例３のレンズ鏡筒を示す図である。
実施例３のレンズ鏡筒２−３は、反射方向調整部Ａ−３が、バヨネットマウント１−３のマウント端面１ａに備えられた溝Ｃ−３となっている。
溝Ｃ−３は、実施例１のようなテーパー形状Ｔを有する。溝Ｃ−３は、例えば、単純な深溝、断面半円形状の溝、断面半楕円形状の溝、断面三角形状の溝、Ｖ溝等であってもよい。
また、バヨネットマウント１−３は、反射方向調整部Ａ−３から光軸Ｉに平行に延びる平行部１ｅを含み、平行部１ｅは、反射方向調整部Ａ−３で反射された反射光７ｂをさらに反射させる。なお、平行部１ｅは、内径側の一辺が光軸Ｉに平行となっていればその形状や厚みは限定されるものではなく、例えば、薄い厚みの薄壁であったり、マウント端面１ａよりも前方に張り出したものであってもよい。
【００１５】
テーパー形状Ｔの傾斜角度θは、実施例１と同様に任意に設定可能である。ここで、テーパー形状Ｔの光軸方向の長さをｍ１とし、外径側のエッジ部分の長さをｍ２とし、テーパー形状Ｔの光軸方向の長さｍ１と外径側のエッジ部分の長さｍ２とを加えた長さをｍ３とする。また、テーパー形状Ｔの径方向の長さをｎ１とし、外径側の撮像装置１０側の端部の厚み部分の長さをｎ２とし、内径側の撮像装置１０側の端部の厚み部分の長さをｎ３とし、面取り部の径方向の長さをｎ４とし、内径側のエッジ部分から外径側のエッジ部分までの長さをｎ５とする。
バヨネットマウント１−３は、例えば、ｍ１：ｍ２：ｍ３：ｎ１：ｎ２：ｎ３：ｎ４：ｎ５＝０．８：０．５：１．３：１．５：０．５：０．１：０．３：２．４とすることができる。
【００１６】
図８は、レンズ鏡筒２−３を撮像装置１０側からみた図である。
バヨネットマウント１−３の外径側の端部１ｃと内径側の端部１ｂとの間には、面取り部Ｄと、外径側の撮像装置１０側の端部の厚み部分Ｅと、溝Ｃ−３と、内径側の撮像装置１０側の端部の厚み部分Ｆとが配置されている。
【００１７】
図７に示すように、撮像部１１からの反射光６ａ，７ａは、入射してくる角度によりテーパー形状Ｔの斜面の異なる位置に当たり第２回反射光６ｂ，７ｂのようになる。
第２回反射光６ｂは、レンズ鏡筒２−３の中心から離れる方向に反射するので問題はない。第２回反射光７ｂは、溝Ｃ−３内の平行部１ｅでさらに反射して第３回反射光７ｃとなり、撮像部１１とは異なる方向に進むので問題はない。したがって、バヨネットマウント１−３で反射する反射光の影響を低減でき、ゴーストの発生を防止することができる。なお、第２回反射光６ｂ及び第３回反射光７ｃは、反射角度やその後の複数反射によっては、撮像部１１に戻ってくる可能性もある。しかし、反射光は、反射を繰り返せば繰り返すほど弱くなり、影響が小さくなるので、ゴーストが低減される。
【実施例４】
【００１８】
図９は、実施例４のレンズ鏡筒を示す図である。
実施例４のレンズ鏡筒２−４は、バヨネットマウント１−４の反射方向調整部Ａ−４が、径方向に複数設けられた複数の溝Ｃ−４となっている。この複数の溝Ｃ−４は、実施例３の溝よりも小さいサイズの溝が複数並んだものであって、遮光線のような溝等である。複数の溝Ｃ−４は、テーパー形状Ｔや平行部１ｅを有する。複数の溝Ｃ−４は、例えば、単純な深溝、断面半円形状の溝、断面半楕円形状の溝、断面三角形状の溝、Ｖ溝等であってもよい。
【００１９】
撮像部１１からの反射光８ａ，９ａは、入射してくる角度によりテーパー形状Ｔの斜面の異なる位置に当たり、第２回反射光８ｂ，９ｂのようになる。第２回反射光８ｂは、レンズ鏡筒２−４の中心から離れる方向に反射するので問題はない。第２回反射光９ｂは、複数の溝Ｃ−４内でさらに反射して第３回反射光９ｃとなり、撮像部１１とは異なる方向に進むので問題はない。したがって、バヨネットマウント１−４で反射する反射光の影響を低減でき、ゴーストの発生を防止することができる。なお、実施例３と同様に、第２回反射光８ｂ及び第３回反射光９ｃは、反射角度やその後の複数反射によっては、撮像部１１に戻ってくる可能性もある。しかし、反射光は、反射を繰り返せば繰り返すほど弱くなり、影響が小さくなるので、ゴーストが低減される。
また、本実施例では、複数の溝Ｃ−４としているので、実施例３の１つの溝Ｃ−３と比較して、溝の深さを深くする必要がなくなり、実施例３のバヨネットマウント１−３よりも、強度を向上させることができる。
【実施例５】
【００２０】
図１０は、実施例５のレンズ鏡筒を示す図である。
実施例５のレンズ鏡筒２−５は、３つのタイプがある。１つ目のものは、図１０（Ａ）に示すように、バヨネットマウント１−５Ａが、実施例１のバヨネットマウント１と同様の形状のものである。
２つ目のものは、図１０（Ｂ）に示すように、バヨネットマウント１−５Ｂが、実施例３のバヨネットマウント１−３と同様の形状のものである。３つ目のものは、図１０（Ｃ）に示すように、バヨネットマウント１−５Ｃが、実施例４のバヨネットマウント１−４と同様の形状のものである。
【００２１】
また、それぞれの反射方向調整部Ａ，Ａ−３，Ａ−４には、反射光を減衰させる減光部Ｇが設けられている。減光部Ｇは、例えば、暗色系のインキで構成されるインキ層、暗色系のシートを貼り付けたシート層等である。
バヨネットマウント１−５Ｂ,１−５Ｃのように、溝Ｃ−３,Ｃ−４が存在する場合には、カメラ本体等との結合時に減光部Ｇがはがれてしまうことを防止するため、減光部Ｇを溝Ｃ−３,Ｃ−４の内部に設けることが好ましい。
このように、本実施例のレンズ鏡筒２−５によれば、減光部Ｇを設けているので、減光部Ｇに光が吸収されて反射光が減衰し、ゴーストの発生をより低減させることができる。
【００２２】
（変形例）
上述した各実施例は、以下の変形も可能である。
（１）レンズ鏡筒にメモリを内蔵し、各バヨネットマウントの形状をそのメモリに記憶させてもよい。
（２）また、メモリに記憶されているバヨネットマウントの形状を撮像装置側に送信し、撮像装置側では、その形状のデータを利用して撮影を行ってもよい。
なお、上述した各実施例及び変形例は、適宜組み合わせて用いることもできるが、詳細な説明は省略する。また、本発明は、以上説明した各実施例によって限定されることはない。
【図面の簡単な説明】
【００２３】
【図１】実施例１のレンズ鏡筒を示す図である。
【図２】バヨネットマウント１の拡大図である。
【図３】レンズ鏡筒２を撮像装置１０側からみた図である。
【図４】レンズ鏡筒の比較例を示す図である。
【図５】バヨネットマウントのマウント端面を拡大して示した模式図である。
【図６】実施例２のレンズ鏡筒を示す図である。
【図７】実施例３のレンズ鏡筒を示す図である。
【図８】レンズ鏡筒２−３を撮像装置１０側からみた図である。
【図９】実施例４のレンズ鏡筒を示す図である。
【図１０】実施例５のレンズ鏡筒を示す図である。
【符号の説明】
【００２４】
１，１−２，１−３，１−４，１−５Ａ，１−５Ｂ，１−５Ｃ：バヨネットマウント、１ａ：マウント端面、１ｄ：突起部、１ｅ：平行部、２，２−２，２−３，２−４，２−５：レンズ鏡筒、１０：撮像装置、１０ａ：カメラ本体、１１ａ：撮像面、Ａ，Ａ−３，Ａ−４：反射方向調整部、Ｃ−３：溝、Ｃ−４：複数の溝、Ｇ：減光部、Ｉ：光軸、Ｔ：テーパー形状
【図１】
2007219412.tif 000003
【図２】
2007219412.tif 000004
【図３】
2007219412.tif 000005
【図４】
2007219412.tif 000006
【図５】
2007219412.tif 000007
【図６】
2007219412.tif 000008
【図７】
2007219412.tif 000009
【図８】
2007219412.tif 000010
【図９】
2007219412.tif 000011
【図１０】
2007219412.tif 000012